(57)【要約】【課題】雨水などの浸入により、絶縁不良が生じることを防止し、また、水が凍ることによる灯体の破損を抑制する屋外用照明灯を提供する。【解決手段】屋外用照明灯１は、光源１９が収納され、上面部に光出射口１４，１５を有し、埋設されている基台８に設置される灯体２と、灯体２の底面部に配設された端子台２５と、灯体２の底面部の外面に端子台２５を覆って充填されたシリコーン５と、端子台２５周辺の灯体２の底面部に植設された取付体６と、取付体６によって取り付けられ、シリコーン５を灯体２の底面部に押圧する押圧板７とを具備する。【選択図】図１
2005105595.tif 000002
【特許請求の範囲】
【請求項１】
光源が収納され、上面部に光源の放射光が出射される光出射口を有し、埋設されている略箱状の基台に設置される灯体と；
灯体の底面部に配設された光源に給電するための端子台と；
灯体の底面部の外面に端子台を覆って充填されたシリコーンと；
端子台周辺の灯体の底面部に植設された取付体と；
取付体によって取り付けられ、シリコーンを灯体の底面部に押圧する押圧板と；
を具備していることを特徴とする屋外用照明灯。
【請求項２】
光源が収納され、上面部に光源の放射光が出射される光出射口を有し、埋設されている略箱状の基台に設置される灯体と；
灯体の底面部に配設された光源に給電するための端子台と；
端子台を包囲して灯体の底面部の外面に表面積を増大するように形成された多数の凹凸部と；
灯体の底面部の外面に端子台を覆うとともに、多数の凹凸部に食い込ませて充填されたシリコーンと；
を具備していることを特徴とする屋外用照明灯。
【請求項３】
光源が収納され、上面部に光源の放射光が出射される光出射口および底面部に有底の略筒体を有し、埋設されている略箱状の基台に設置される灯体と；
略筒体の底面部に配設された光源に給電するための端子台と；
一端に開口を有する有底筒状に形成され、略筒体の底面部および外周面の所定高さ部分までを収納しているとともに、開口から端子台に接続されている給電線が導出されている収納ケースと；
を具備していることを特徴とする屋外用照明灯。
【発明の詳細な説明】
【技術分野】
【０００１】
本発明は、標識灯などの防水構造を有する屋外用照明灯に関する。
【背景技術】
【０００２】
従来、飛行機やヘリコプタの滑走路および離着場に設置される埋込型の航空標識灯は、路面などに埋め込まれる基台と、路面より上方に規定された光を出射する灯体を有して構成されている。そして、灯体の底面のカバーに配線装置（端子台）が設けられ、外部から基台内に引き込まれた給電線が配線装置に接続されている（例えば、特許文献１参照。）。この航空標識灯は、雨水などが基台内に浸入することがあり、この場合、配線装置が水に浸されると漏電などが発生していた。そこで、通常、配線装置をシリコーンなどの電気絶縁性の樹脂で覆うことにより、漏電や電気絶縁不良などの発生を防止するようにしている。
【０００３】
また、他の埋込型標識灯として、基台に一次側が配置され、灯体に二次側が配置されるトランスを設けているものがある。すなわち、トランスを用いることにより、物理的な配線による接続部分がなくなり、かつ基台側から灯体のランプに点灯電力を出力できるので、雨水などの影響による絶縁不良の問題がなくなるというものである。（例えば、特許文献２参照。）。
【特許文献１】特公平４−７２００３号公報（第３〜４頁、第１図）
【特許文献２】特開２００３−１３８５３４号公報（第３頁、第１図）
【発明の開示】
【発明が解決しようとする課題】
【０００４】
特許文献１は、配線装置（端子台）をシリコーンで覆っても、カバーとシリコーンまたは給電線とシリコーンとのそれぞれの密着性が必ずしも良好ではなく、カバーとシリコーンまたは給電線とシリコーンのそれぞれの間隙から水が配線装置側に浸入して絶縁不良を起こすことがあった。また、基台内に侵入した水が凍り、氷の体積が増加することにより、灯体を破損することがあった。
【０００５】
また、特許文献２は、トランスの鉄心を接合して磁気結合させるので、手間を要するとともに、当該接合が不具合であると、当該接合箇所から水が浸入して絶縁不良を起こすおそれがある。また、近年、標識灯は、薄型化が望まれており、トランスは薄型化の障害になるという欠点を有する。
【０００６】
本発明は、雨水などの浸入により、絶縁不良が生じることを防止し、また、水が凍ることによる灯体の破損を抑制する屋外用照明灯を提供することを目的とする。
【課題を解決するための手段】
【０００７】
請求項１に記載の屋外用照明灯の発明は、光源が収納され、上面部に光源の放射光が出射される光出射口を有し、埋設されている略箱状の基台に設置される灯体と；灯体の底面部に配設された光源に給電するための端子台と；灯体の底面部の外面に端子台を覆って充填されたシリコーンと；端子台周辺の灯体の底面部に植設された取付体と；取付体によって取り付けられ、シリコーンを灯体の底面部に押圧する押圧板と；を具備していることを特徴とする。
【０００８】
本発明および以下の各発明において、特に言及しない限り、各構成は以下による。
【０００９】
屋外用照明灯は、空港用、道路用など多用な用途のいずれであってもよい。
【００１０】
基台は、地中の他、ビルの屋上のコンクリートなどの造営物に埋設されているものである。
【００１１】
光源は、光を放射するものであればよく、ハロゲンランプ、白熱電球、蛍光ランプ、ＨＩＤランプや発光ダイオードなど、特に限定されない。
【００１２】
本発明によれば、シリコーンは、押圧板により押圧されるので、シリコーンおよび灯体の外面の密着性が向上される。これにより、シリコーンおよび灯体に間隙が生じなくなり、灯体の端子台に水が浸入することが阻止されるので、雨水などによる絶縁不良が防止される。また、基台内に侵入した水が凍り、氷の体積が増加しても、シリコーンがクッションの役割を果たすので、灯体の破損が抑制される。
【００１３】
請求項２に記載の屋外用照明灯の発明は、光源が収納され、上面部に光源の放射光が出射される光出射口を有し、埋設されている略箱状の基台に設置される灯体と；灯体の底面部に配設された光源に給電するための端子台と；端子台を包囲して灯体の底面部の外面に表面積を増大するように形成された多数の凹凸部と；灯体の底面部の外面に端子台を覆うとともに、多数の凹凸部に食い込ませて充填されたシリコーンと；を具備していることを特徴とする。
【００１４】
凹凸部は、凹部および凸部からなり、これらの形状や大小などは問わない。
【００１５】
本発明によれば、シリコーンは、多数の凹凸部に食い込ませて充填されているので、凹凸部およびシリコーンの間に間隙が生じにくく、間隙が生じていても散発的である。これにより、凹凸部およびシリコーンの間隙に水分が浸入しても、凹凸部およびシリコーンの密着性の良好な間隙の生じていない箇所で阻止されるので、雨水などによる絶縁不良が防止される。また、基台内に侵入した水が凍り、氷の体積が増加しても、シリコーンがクッションの役割を果たすので、灯体の破損が抑制される。
【００１６】
請求項３に記載の屋外用照明灯の発明は、光源が収納され、上面部に光源の放射光が出射される光出射口および底面部に有底の略筒体を有し、埋設されている略箱状の基台に設置される灯体と；略筒体の底面部に配設された光源に給電するための端子台と；一端に開口を有する有底筒状に形成され、略筒体の底面部および外周面の所定高さ部分までを収納しているとともに、開口から端子台に接続されている給電線が導出されている収納ケースと；を具備していることを特徴とする。
【００１７】
「有底の略筒体」は、箱状、円筒状や六角筒状などの他、突起や凹みなどを有する変形した筒体を許容する。
【００１８】
収納ケースは、箱状を許容する。
【００１９】
灯体の底面部の外面に端子台を覆うようにして、シリコーンが充填されていてもよい。
【００２０】
本発明によれば、端子台は、収納ケースに収納されているので、雨水などが収納ケースの開口に達しない限り、少なくとも端子台に水が浸入することはなく、雨水などによる絶縁不良が防止される。
【発明の効果】
【００２１】
請求項１の発明によれば、シリコーンは、押圧板により押圧されているので、シリコーンおよび灯体の密着性が向上して水分の浸入を阻止することができ、この結果、雨水などによる絶縁不良を防止することができる。また、基台内に侵入した水が凍っても、シリコーンがクッションの役割を果たすので、灯体の破損を抑制することができる。
【００２２】
請求項２の発明によれば、灯体の底面部に形成した多数の凹凸部に食い込ませてシリコーンが充填されているので、凹凸部およびシリコーンの間に間隙を生じにくくすることができ、水分の浸入を阻止することができて、雨水などによる絶縁不良を防止することができる。また、基台内に侵入した水が凍っても、シリコーンがクッションの役割を果たすので、灯体の破損を抑制することができる。
【００２３】
請求項３の発明によれば、端子台は、一端に開口を有する有底筒状の収納ケースに収納されているので、収納ケースの開口まで雨水が浸入しない限り、雨水などによる絶縁不良を防止することができる。
【発明を実施するための最良の形態】
【００２４】
以下、本発明の一実施の形態について、図面を参照して説明する。まず、本発明の第１の実施形態について説明する。
【００２５】
図１〜図２は、本発明の第１の実施形態を示し、図１は航空標識灯であり、（ａ）は上面図、（ｂ）は基台に設置された状態における概略断面図、図２はランプユニットの一部切り欠き断面図である。
【００２６】
図１において、屋外用照明灯としての航空標識灯１は、灯体２、端子台２５、シリコーン５、取付体６および押圧板７を有して構成されている。この航空標識灯１は、路面に埋設された略箱状の基台８に設置されている。
【００２７】
灯体２は、上部灯体９および下部灯体１０からなり、上部灯体９の下部を下部灯体１０の上部が防水パッキン１１Ａにより液密に覆合している。また、上部灯体９および下部灯体１０は、取付用のダボ１１Ｂにより、正確に位置決めされている。
【００２８】
上部灯体９は、略円盤状に形成され、上面部に膨出部１２および光導出溝１３を備えている。膨出部１２は、中央に円形の光出射口１４および光出射口１４から上部灯体９の周縁にわたる円錐斜面からなる切頭円錐形状をなして上部灯体９の上面部に画成されている。光導出溝１３は、上部灯体９の中心を中心とする点対称の位置に６０°間隔で配設されている。そして、光導出溝１３は、膨出部１２の切頭円錐斜面に開口するとともに、灯体２の内部空間に連通し、その連通部に光出射口１５が形成されている。すなわち、上部灯体９は、上面部に１個の光出射口１４と複数個の光出射口１５を備えている。そして、光出射口１４は、その内部にレンズ１６を液密に固着し、光出射口１５は、その内部にレンズ１７を液密に固着している。
【００２９】
また、上部灯体９の周縁部には、複数のボルト挿通孔（図示しない。）が形成されている。このボルト挿通孔に挿通されたボルト１８等により、上部灯体９および下部灯体１０が結合されて、灯体２が形成されている。また、上部灯体９の周縁部には、灯体２を基台８に固着するための複数のボルト挿通孔（図示しない。）が形成されている。そして、上部灯体９の下面部には、光源１９が収納され、端子台２５およびシリコーン５を備えたランプユニット２０が配設されている。
【００３０】
下部灯体１０は、略皿状をなしていて、中央部が開口され、周縁部に上部灯体９のボルト挿通孔に対向するボルト挿通孔（図示しない。）等が形成されている。そして、ボルト１８によって上部灯体９に覆合され、上部灯体９と協働して内部空間を形成している。そして、図示しないボルトによって、基台８に固定されている。
【００３１】
基台８は、その上部が開口した略箱状をなしていて、飛行場などの路面に埋設されている。そして、側面の下部側に挿通孔８Ａが形成されている。この挿通孔８Ａには、通常、防水パッキン（図示しない。）が配設され、防水パッキンを貫通して外部からの給電線（図示しない。）が挿通されている。そして、当該給電線の先端部は、防水性の雌コネクタ（図示しない。）に接続されている。
【００３２】
そして、ランプユニット２０は、上部灯体９の下部(底面部)側に設けられた略筒状の支持体２１に取り付けられている。すなわち、有底の略円筒状に形成された略筒体２２のリング状のねじ部が支持体２１のＯ−リング付きの螺合部に螺合されている。
【００３３】
略筒体２２は、図２に示すように、上部側の内面に略皿状の光源取付板２３が配設されている。この光源取付板２３の中央部に、ランプソケット２４が固着され、ランプソケット２４に光源としてのハロゲンランプ１９が装着されている。ハロゲンランプ１９の発光部は、光出射口１４，１５に臨んでいる。すなわち、ハロゲンランプ１９の放射光が光出射口１４，１５から出射されるように、光源取付板２３の略筒体２２での配設位置が設定されている。
【００３４】
また、略筒体２２の底面部は、凹部に形成され、この凹部に端子台２５が配設されている。端子台２５は、所定の厚さを有する絶縁板２６および入力端子としてのボルト３を有して構成されている。略筒体２２の底面部の凹部部分は、切り欠きが形成され、絶縁板２６の両側面には溝が形成されている。そして、当該切り欠きの底面部が絶縁板２６の溝に挿入されている。これにより、端子台２５は、略筒体２２の底面部に取り付けられている。
【００３５】
そして、絶縁板２６には、一対の貫通孔（図示しない。）が形成されており、この貫通孔にボルト３が挿通されている。ボルト３は、接着材などにより、例えば貫通孔内において絶縁板２６に固着されている。そして、ボルト３の両端側にはナット２７が螺合され、絶縁板２６との間で給電端子２８，２９を挟持するようにしている。すなわち、ランプ線３０，３０の先端部に給電端子２８，２８が接続されており、この給電端子２８，２８は、略筒体２２内の絶縁板２６の上面でボルト３，３に電気接続にされている。ランプ線３０，３０は、ランプソケット２４に接続されている。また、給電線４，４の先端部に給電端子２９，２９が接続されており、この給電端子２９，２９は、絶縁板２６の下面でボルト３，３に電気接続にされている。給電線４，４は、防水性の雄コネクタ３１（図１に示す。）に接続されており、この雄コネクタ３１は雌コネクタに接続される。これにより、外部電源がボルト（入力端子）３を介してハロゲンランプ１９に給電される。
【００３６】
そして、略筒体２２の底面部の外面側かつ凹部部分に、端子台２５およびボルト３に接続された給電端子２９側の給電線４を覆ってシリコーン５が充填されている。
【００３７】
そして、略筒体２２の底面部の縁部より内側の端子台２５の周辺に取付体６，６が植設されている。取付体６は、スタッドからなり、一端のねじ部６Ａが略筒体２２の底面部に設けられているタップ部（図示しない。）に螺合されている。略筒体２２の底面部と取付体６の取付箇所は、目張り材が塗布され、略筒体２２内が液密になるようにしている。
【００３８】
また、取付体６の他端面には、内部に向かいタップ（図示しない。）が設けられており、このタップに平面状の押圧板７に設けられた孔（図示しない。）を挿通したねじ３２が螺合されている。すなわち、取付体６，６によって押圧板７が取り付けられている。そして、押圧板７は、取付体６の他端面に達していない状態でシリコーン５に接触している。そして、ねじ３２が螺合されるにしたがい、押圧板７は、シリコーン５を略筒体２２の底面部の凹部部分に押圧するようにしている。
【００３９】
上部灯体９および下部灯体１０は、防水パッキン１１Ａにより液密に覆合し、略筒体２２の上端部は、Ｏ−リングが配接され、取付体６の取付箇所などは、目張り材が塗布されているので、灯体２は密閉形に形成されている。
【００４０】
次に、本発明の第１の実施形態の作用について述べる。
【００４１】
基台８の挿通部８Ａには、通常、防水パッキンが設けられている。しかし、当該防水パッキンは、基台８内への水の浸入を完全に阻止することができず、基台８内に雨水などが溜まることがある。また、下部灯体９と基台８の接合箇所に隙間等の不具合があると、その部分から雨水などが基台８内に浸入して、基台８内に溜まることがある。そして、ランプユニット２０の底面部の高さまで、基台８内に雨水などが溜まると、水が底面部の外表面とシリコーン５との間隙や、給電線４とシリコーン５との間隙に浸入しようとする。
【００４２】
しかしながら、シリコーン５は、押圧板７により略筒体２２の底面部の凹部部分に押圧されているので、シリコーン５と略筒体２２の底面部の外表面との密着性が向上されている。また、同じくシリコーン５と給電線４との密着性が向上されている。この結果、シリコーン５と略筒体２２の底面部の外表面の間に間隙が生じなくなっており、同じくシリコーン５と給電線４の間に間隙が生じなくなっている。したがって、ランプユニット２０内や端子台２５のボルト（入力端子）３および給電線４の給電端子２９に水が浸入することが阻止される。
【００４３】
そして、灯体２内は、密閉形すなわち液密に形成されているので、ランプユニット２０の底面部を超えて基台８内に雨水などが溜まっても、灯体８内に水が浸入することはなく、雨水などによって絶縁不良が発生することが防止される。
【００４４】
そして、基台８内に溜まった雨水などが凍ると、体積が増加して押圧板７を押し上げるように作用する。ここで、シリコーン５がクッションとなり、緩衝材として機能するので、ランプユニット２０などの灯体２の破損が抑制される。
【００４５】
なお、基台８内に溜まった雨水などは、通常、晴天時に浸入箇所から徐々に蒸発や排水されていく。
【００４６】
次に、本発明の第２の実施形態について説明する。
【００４７】
図３は、本発明の第２の実施形態を示すランプユニットの一部切り欠き断面図ある。なお、図２と同一部分には同一符号を付して説明は省略する。
【００４８】
図３に示すランプユニット３３は、図２に示すランプユニット２０において、取付体６および押圧板７などを設けず、略筒体２２の底面部の凹部部分において、端子台２５を包囲して略筒体２２の底面部の外表面の表面積が増大するように多数の凹凸部３４が形成されたものである。この凹凸部３４は、ランダムに形成されてもよく、凹部または凸部がライン状に形成されていてもよい。そして、シリコーン５は、多数の凹凸部３４に食い込ませて充填されている。
【００４９】
シリコーン５は、多数の凹凸部３４に食い込ませて充填されているので、凹凸部３４およびシリコーン５の間に間隙が生じにくくなっている。すなわち、略筒体２２の底面部の凹凸部３４に沿う水分の浸入経路には、凹凸部３４とシリコーン５との密着性の良好な間隙の生じていない箇所が存在するようになる。これにより、凹凸部３４とシリコーン５との間隙に水分が浸入しても、凹凸部３４とシリコーン５との密着性の良好な間隙の生じていない箇所で阻止され、ランプユニット３３内や端子台２５のボルト（入力端子）３に水分が到達しなくなる。この結果、雨水などによって絶縁不良が発生することが防止される。
【００５０】
また、基台８内に侵入した水が凍り、氷の体積が増加しても、シリコーン５がクッションの役割を果たすので、灯体２の破損が抑制される。
【００５１】
次に、本発明の第３の実施形態について説明する。
【００５２】
図４は、本発明の第３の実施形態を示す航空標識灯の基台に設置された状態における概略断面図である。なお、図１と同一部分には同一符号を付して説明は省略する。
【００５３】
図４に示す航空標識灯３５は、図１に示す航空標識灯１において、ランプユニット２０に取付体６および押圧板７などを設けず、略筒体２２の底面部および外周面の所定高さまでを収納している収納ケース３６を配設したものである。収納ケース３６は、略筒体２２よりも大きく形成されたものであり、一端に開口３６Ａを有する有底筒状に形成されている。そして、当該開口３６Ａから給電線４，４が導出されている。
【００５４】
略筒体２２の上部側面には、スペーサを兼ねた円柱状の取付体３７，３７が溶接等により固着されている。この取付体３７，３７の端面には、内部に向かうタップ（図示しない。）が形成されており、また、収納ケース３６には、当該タップに対向する孔（図示しない。）が設けられている。収納ケース３６は、孔に挿通されたねじ３８がタップに螺合されることにより、略筒体２２に取り付けられている。そして、収納ケース３６の開口３６Ａが灯体２の支持体２１の底面部に近い位置となるように設定されている。
【００５５】
基台８に溜まる雨水などが収納ケース３６の開口３６Ａまで上昇しない限り、ランプユニット２０の底面部が水に浸されることはない。したがって、基台８内に溜まる雨水などが収納ケース３６の開口３６Ａに到達するまでは、雨水などによって絶縁不良が発生することが防止される。
【図面の簡単な説明】
【００５６】
【図１】本発明の第１の実施形態を示す航空標識灯であり、（ａ）は上面図、（ｂ）は基台に設置された状態における概略断面図。
【図２】同じく、ランプユニットの一部切り欠き断面図。
【図３】本発明の第２の実施形態を示すランプユニットの一部切り欠き断面図。
【図４】本発明の第３の実施形態を示す航空標識灯の基台に設置された状態における概略断面図。
【符号の説明】
【００５７】
１，３５…屋外用照明灯としての航空標識灯
２…灯体
５…シリコーン
６…取付体
７…押圧板
２５…端子台
３４…凹凸部
３６…収納ケース
【図１】
2005105595.tif 000003
【図２】
2005105595.tif 000004
【図３】
2005105595.tif 000005
【図４】
2005105595.tif 000006